(57)【特許請求の範囲】
【請求項１】
機能が異なる複数の表示ユニットのいずれかを搭載する表示フレームと、
この表示フレームの外周に位置して前記表示フレームが取り付けられるほぼ枠状の保持フレームと、
この保持フレームに対する前記表示フレームの取付位置を前記複数の表示ユニットのそれぞれに応じて変更可能に取り付ける取付変更部材と、
を備え、
前記複数の表示ユニットには、第１の表示ユニットと第２の表示ユニットとが含まれ、
前記第１の表示ユニットは、前記表示フレームに組み込まれて情報を表示する表示部と、この表示部の表示面側を覆って配置され、且つ前記表示部の表示面よりも大きく形成された透明なタッチパネルとを備えた構成であり、
前記第２の表示ユニットは、前記透明なタッチパネルを除いて、前記第１の表示ユニットとほぼ同じ構成である、
ことを特徴とする表示装置。
【請求項２】
前記取付変更部材は、前記表示フレームの一側部とこれに対応する前記保持フレームの一側部との間、または前記表示フレームの前記一側部に対し反対側に位置する他側部とこれに対応する前記保持フレームの他側部との間におけるその両者間のいずれかに取り付けられることにより、前記保持フレームに対する前記表示フレームの取付位置を前記複数の表示ユニットのそれぞれに応じて変更することを特徴とする請求項１に記載の表示装置。
【請求項３】
前記透明なタッチパネルは、前記表示部の表示領域に対応するタッチ入力表示部と、前記表示部の表示領域外に位置するタッチ入力機能部とを備えていることを特徴とする請求項１又は２に記載の表示装置。
【請求項４】
前記複数の表示ユニットのそれぞれに応じて前記保持フレームに対する前記表示フレームの取付位置が変更するのに伴って、表示開口部がそれぞれ異なる複数の表示窓枠を備えていることを特徴とする請求項１〜請求項３のいずれかに記載の表示装置。
【発明の詳細な説明】
【技術分野】
【０００１】
この発明は、電子辞書、小型電子式計算機、携帯電話機、情報処理端末機などの電子機器に用いられる表示装置に関する。
【背景技術】
【０００２】
例えば、電子辞書などの電子機器においては、特許文献１に記載されているように、表示ユニットを有する第１ケースと、キーボードを有する第２ケースとを、ヒンジ部によって回転可能に連結し、このヒンジを中心に第１、第２の各ケースが回転して開閉することにより、折り畳み可能に構成されたものが知られている。
【先行技術文献】
【特許文献】
【０００３】
【特許文献１】特開２００５−１６５９２７号公報
【０００４】
このような電子機器では、国語辞書や英語辞書などの辞書機能に応じて複数の機種があり、この複数の機種に応じて、キーボードの各キーに異なるキー表示を設ける必要がある。このため、このような電子機器においては、各機種に応じてキーボードの各キーに対応するキー表示が施された複数のキー表示パネルを用意し、機種に応じてキー表示パネルを交換するだけで、キー表示パネル以外の部品の共通化を図り、在庫管理、製造管理を簡素化している。
【発明の概要】
【発明が解決しようとする課題】
【０００５】
ところで、このような電子機器では、更なる多機能化に伴ってキーボード以外に表示ユニットも機種によって異なるものが開発されている。例えば、表示ユニットとして、表示パネルの表面に透明なタッチパネルを配置した機種、あるいは表示パネルを備えているが、透明なタッチパネルを備えていない機種などがあり、その機種によって機器ケースである第１ケースに対する表示パネルの取付位置が異なる場合がある。
【０００６】
すなわち、表示パネルの表面に透明なタッチパネルを配置した機種においては、タッチパネルを表示パネルよりも大きく形成し、このタッチパネルにおける表示パネルの表示領域外に位置する箇所にアイコン部を設けて入力操作性を向上させている。このため、このようなタッチパネルを有する機種では、タッチパネルを第１ケースの表面における中央部分に対応させて設置すると、タッチパネルがアイコン部を有していることにより、このアイコン部の部分だけ表示パネルが第１ケースの中央部分からずれた状態で配置されることになる。
【０００７】
また、タッチパネルを備えていない機種においては、表示パネルを第１ケースの表面における中央部分に対応させて設置する必要があるため、タッチパネルを備えている機種の場合に対して表示パネルの取付位置を変更しなければならず、このため機能が異なる表示ユニットごとに機器ケースである第１ケースを製作する必要がある。
【０００８】
このように、この従来の電子機器では、キーボードの機能に伴う異なる機種ごとに応じてキー表示パネルを交換することにより、キー表示パネル以外の部品の共通化を図ることができても、表示ユニットの機能に応じて表示パネルの取付位置が異なると、これに伴って表示ユニットごとに機器ケースである第１ケースの取付部品が異なってしまい、機器部品の共通化を図ることができないという問題がある。
【０００９】
この発明が解決しようとする課題は、複数の表示ユニットごとに取付位置が異なっていても、変更すべき部品を最小限に抑えて、ほぼ全ての機器部品の共通化を図ることができる表示装置を提供することである。
【課題を解決するための手段】
【００１０】
この発明は、上記課題を解決するために、次のような構成要素を備えている。
請求項１に記載の発明は、機能が異なる複数の表示ユニットのいずれかを搭載する表示フレームと、この表示フレームの外周に位置して前記表示フレームが取り付けられるほぼ枠状の保持フレームと、この保持フレームに対する前記表示フレームの取付位置を前記複数の表示ユニットのそれぞれに応じて変更可能に取り付ける取付変更部材とを、を備え、前記複数の表示ユニットには、第１の表示ユニットと第２の表示ユニットとが含まれ、前記第１の表示ユニットは、前記表示フレームに組み込まれて情報を表示する表示部と、この表示部の表示面側を覆って配置され、且つ前記表示部の表示面よりも大きく形成された透明なタッチパネルとを備えた構成であり、前記第２の表示ユニットは、前記透明なタッチパネルを除いて、前記第１の表示ユニットとほぼ同じ構成である、ことを特徴とする表示装置である。
【００１１】
請求項２に記載の発明は、前記取付変更部材が、前記表示フレームの一側部とこれに対応する前記保持フレームの一側部との間、または前記表示フレームの前記一側部に対し反対側に位置する他側部とこれに対応する前記保持フレームの他側部との間におけるその両者間のいずれかに取り付けられることにより、前記保持フレームに対する前記表示フレームの取付位置を前記複数の表示ユニットのそれぞれに応じて変更することを特徴とする請求項１に記載の表示装置である。
【００１３】
請求項３に記載の発明は、前記透明なタッチパネルが、前記表示部の表示領域に対応するタッチ入力表示部と、前記表示部の表示領域外に位置するタッチ入力機能部とを備えていることを特徴とする請求項１又は２に記載の表示装置である。
【００１４】
請求項４に記載の発明は、前記複数の表示ユニットのそれぞれに応じて前記保持フレームに対する前記表示フレームの取付位置が変更するのに伴って、表示開口部がそれぞれ異なる複数の表示窓枠を備えていることを特徴とする請求項１〜請求項３のいずれかに記載の表示装置である。
【発明の効果】
【００１５】
この発明によれば、複数の表示ユニットごとに取付位置が異なっていても、変更すべき部品を最小限に抑えて、ほぼ全ての機器部品の共通化を図ることができる。
【図面の簡単な説明】
【００１６】
【図１】この発明を電子辞書に適用した一実施形態を示した使用時における正面図である。
【図２】図１に示された電子辞書において第１の表示ユニットを搭載した場合の第１ケースを示した拡大正面図である。
【図３】図２に示された第１ケースに組み込まれている第１の表示ユニットを示した正面図である。
【図４】図２に示された第１ケースの各断面を示し、（ａ）は図２のＡ−Ａ矢視における拡大断面図、（ｂ）は図２のＢ−Ｂ矢視における拡大断面図である。
【図５】図４に示された第１ケース内の表示フレームを示した斜視図である。
【図６】図５に示された表示フレームの正面図である。
【図７】図４に示された第１ケース内の保持フレームを示した斜視図である。
【図８】図７に示された保持フレームの正面図である。
【図９】図４に示された第１の表示ユニットにおける取付変更部材を示した拡大斜視図である。
【図１０】図９に示された取付変更部材の拡大平面図である。
【図１１】図９に示された取付変更部材の拡大側面図である。
【図１２】図１に示された電子辞書において第２の表示ユニットを搭載した場合の第１ケースを示した拡大正面図である。
【図１３】図１２に示された第１ケースに組み込まれている第２の表示ユニットを示した正面図である。
【図１４】図１２に示された第１ケースの各断面を示し、（ａ）は図１２のＣ−Ｃ矢視における拡大断面図、（ｂ）は図１２のＤ−Ｄ矢視における拡大断面図である。
【発明を実施するための形態】
【００１７】
以下、図１〜図１４を参照して、この発明を電子辞書に適用した一実施形態について説明する。
この電子辞書は、図１に示すように、第１ケース１と第２ケース２とをヒンジ部３によって回転可能に連結し、このヒンジ部３を中心に第１、第２の各ケース１、２を回転させて開閉させることにより、第１、第２の各ケース１、２を折り畳んで閉じたり、また展開させて開いたりするように構成されている。
【００１８】
この場合、第１ケース１は、図１に示すように、ほぼ四角形状に形成されており、その内部には、後述する２種類の第１、第２の表示ユニット４、５のいずれか一方（図１では第１の表示ユニット４）が設けられている。第２ケース２は、第１ケース１と同じ形状で同じ大きさに形成されており、その内部には、キーボード６、タッチ入力部７、およびスピーカ部８が設けられている。
【００１９】
ヒンジ部３は、図１に示すように、第１ケース１の一辺部（図１では下辺部）における両側に設けられた一対の第１ヒンジカバー部３ａと、この一対の第１ヒンジカバー部３ａ間に対応する第２ケース２の一辺部（図１では上辺部）に設けられた第２ヒンジカバー部３ｂと、一対の第１ヒンジカバー部３ａおよび第２ヒンジカバー部３ｂの両者における各内部に跨って配置されてその両者を回転可能に連結する後述するヒンジ機構部９とを備えている。
【００２０】
これにより、第１ケース１と第２ケース２とは、図１に示すように、ヒンジ部３のヒンジ機構部９を中心に回転して開くと、第１ケース１内に設けられた第１の表示ユニット４が上面側に露呈すると共に、第２ケース２のキーボード６、タッチ入力部７、およびスピーカ部８が上面側に露呈し、この状態で第１の表示ユニット４に表示された情報を見ながらキーボード６をキー操作して使用するように構成されている。
【００２１】
また、この第１ケース１と第２ケース２とは、図１においてヒンジ部３のヒンジ機構部９を中心に回転して閉じると、第１ケース内に設けられた第１の表示ユニット４が第２ケース２のキーボード６、タッチ入力部７、およびスピーカ部８に対面した状態で、第１ケース１と第２ケース２とが互いに重なり合い、この状態でコンパクトに折り畳まれて携帯できるように構成されている。
【００２２】
この場合、第２ケース２のキーボード６は、図１に示すように、文字キー、カーソルキー、ファンクションキーなどの辞書機能に必要な各種のキーを備え、これら各キーが、第１ケース１内の第１の表示ユニット４に対面するように、第２ケース２の上面に露出し、この露出した各キーが押圧操作されることにより、キー情報が得られるように構成されている。
【００２３】
このキーボード６も、先行文献と同様、国語辞書や英語辞書などの辞書機能に応じてキーボードの各キーに対応するキー表示が施された複数のキー表示パネルを用意し、辞書機能に応じてキー表示パネルを交換することにより、キー表示パネル以外の部品の共通化を図り、在庫管理、製造管理を簡素化するように構成されている。
【００２４】
また、この第２ケース２のタッチ入力部７は、手書きの情報を入力する手書き入力部である。すなわち、このタッチ入力部７は、図示しないが、タッチ操作によって情報を入力する透明なタッチパネルと、情報を電気光学的に表示する表示パネルとを備え、透明なタッチパネルの下面に表示パネルを配置して重ね合わせ、この状態で透明なタッチパネルを通して表示パネルに表示された情報が見えるように構成されている。
【００２５】
これにより、このタッチ入力部７は、透明なタッチパネルに入力ペンを接触させて移動させると、その入力ペンの接触移動に応じた手書き情報が入力されると共に、その手書き情報が表示パネルに表示されるように構成されている。また、スピーカ部８は、音声などの音を発生させるためのものであり、後述する第１ケース１内に設けられた第１の表示ユニット４に表示された情報を音声で発生することにより、漢字の読み方、英語などの外国語の単語や文章を発音するように構成されている。
【００２６】
ところで、第１ケース１は、図２および図４に示すように、ケース本体１０と、このケース本体１０の外周に沿って装着されるほぼ枠状の化粧パネル１１と、この化粧パネル１１に取り付けられる２種類の第１、第２の各表示窓枠１２、１３とを備え、これらの内部に図３および図１３に示すような２種類の第１、第２の各表示ユニット４、５のいずれか一方が収納されるように構成されている。
【００２７】
この第１ケース１におけるケース本体１０は、アルミニウムなどの金属板からなり、その外周部には、図４（ａ）および図４（ｂ）に示すように、側縁部１０ａがほぼ垂直に折り曲げられて形成されている。化粧パネル１１は、合成樹脂からなり、全体がほぼ枠状に形成されている。すなわち、この化粧パネル１１は、図４（ａ）および図４（ｂ）に示すように、断面がＬ字状に形成されている。
【００２８】
この場合、化粧パネル１１の起立した部分には、図４（ａ）および図４（ｂ）に示すように、ケース本体１０の側縁部１０ａが装着するケース装着部１６が形成されている。また、この化粧パネル１１の水平な部分には、図４および図１４に示すように、２種類の第１、第２の各表示窓枠１２、１３の各外周に位置する各縁部１２ａ、１３ａのいずれかが装着する窓枠装着部１７が形成されている。
【００２９】
２種類の第１、第２の各表示窓枠１２、１３は、それぞれ合成樹脂からなり、図２および図１２に示すように、全体がほぼ平板状に形成され、そのほぼ中央部分に異なる大きさの表示開口部１８、１９がそれぞれ形成された構成になっている。この場合、第１の表示窓枠１２は、図２および図４に示すように、全体が平板状に形成され、その中央部分に表示開口部１８が設けられた構成になっている。この第１の表示窓枠１２の表示開口部１８は、第１ケース１内に収納される後述する第１の表示ユニット４に応じて、第２の表示窓枠１３の表示開口部１９よりも横方向（図２では左右方向）の長さが長く形成されている。
【００３０】
また、第２の表示窓枠１３は、図１２および図１４に示すように、第１ケース１内に収納される第２の表示ユニット５に応じて、その外周の縁部１３ａから中心部に向けて第１ケース１の斜め下側（図１４（ａ）および図１４（ｂ）では斜め上側）に傾斜する傾斜部１３ｂが形成され、この傾斜部１３ｂの内周側に位置する中央部分に表示開口部１９が設けられた構成なっている。この第２の表示窓枠１３の表示開口部９は、後述する第２の表示ユニット５に応じて、第１の表示窓枠１２の表示開口部１８よりも横方向（図１２では左右方向）の長さが短く形成されている。
【００３１】
一方、２種類の第１、第２の各表示ユニット４、５のうち、第１の表示ユニット４は、図３および図４に示すように、表示部２０と透明なタッチパネル２４とを備えた構成になっている。また、第２の表示ユニット５は、図１３および図１４に示すように、透明なタッチパネル２４を除いて、第１の表示ユニット４とほぼ同じ構成になっている。
【００３２】
この場合、表示部２０は、図４および図１４に示すように、表示パネル２０ａ、バックライトパネル２０ｂ、および回路基板２０ｃを重ね合わせた構成になっている。表示パネル２０ａは、液晶表示素子やＥＬ（エレクトロルミネッセンス）表示素子などの平面型の表示素子からなり、辞書機能に必要な情報を電気光学的に表示するように構成されている。バックライトパネル２０ｂは、図４および図１４に示すように、表示パネル２０ａの裏面（図４（ａ）では上面）に配置されて、表示パネル２０ａをその裏面側から照明するように構成されている。
【００３３】
回路基板２０ｃは、表示パネル２０ａを駆動するための駆動用の回路基板であり、図４および図１４に示すように、バックライトパネル２０ｂの裏面（図４（ａ）では上面）に配置されている。この回路基板２０ｃには、フレキシブルな配線フィルム２５によって表示パネル２０ａが電気的に接続されている。この場合、配線フィルム２５には、表示パネル２０ａを駆動するためのＬＳＩ（大規模集積回路）などの駆動素子２５ａが搭載されている。
【００３４】
透明なタッチパネル２４は、図３および図４に示すように、後述するアイコン部３７を有し、表示部２０の表示パネル２０ａの表示面（図４（ａ）では下面）を覆って配置されている。すなわち、この透明なタッチパネル２４は、これを通して表示部２０の表示パネル２０ａに表示された情報が見え、この表示された情報を見ながら、その表面（図４（ａ）では下面）をタッチ操作することによりタッチ情報が得られるように構成されている。
【００３５】
ところで、第１、第２の各表示ユニット４、５のいずれかは、図４および図１４に示すように、表示部２０が取り付けられる表示フレーム２１と、この表示フレーム２１の外周に位置して表示フレーム２１が取り付けられるほぼ枠状の保持フレーム２２と、この保持フレーム２２に対する表示フレーム２１の取付位置を変更可能に取り付けるための取付変更部材２３とによって、表示装置として構成され、第１ケース１内に組み込まれるように構成されている。
【００３６】
すなわち、ここで称する表示装置とは、機能が異なる第１、第２の各表示ユニット４、５のいずれか一方が取り付けられる表示フレーム２１と、この表示フレーム２１が取り付けられるほぼ枠状の保持フレーム２２と、この保持フレーム２２に対する表示フレーム２１の取付位置を変更可能に取り付けるための取付変更部材２３とを備えた構成のものである。
【００３７】
この表示装置における表示フレーム２１は、図３および図４に示すように、表示部２０が組み付けられるものであり、合成樹脂に形成されている。この表示フレーム２１は、図５および図６に示すように、表示部２０のほぼ周囲を囲う枠状部２１ａと、この枠状部２１ａ内に張り渡されて表示部２０の裏面（図４（ｂ）では回路基板２０ｃの上面）を押える押え片２１ｂとを備えているほか、表示部２０が表示面側（図３では下面側）から抜け出して脱落するのを防ぐための押え金具２１ｃを更に備えている。
【００３８】
これにより、表示フレーム２１は、図４および図１４に示すように、表示パネル２０ａ、バックライトパネル２０ｂ、および回路基板２０ｃを重ね合わせ、この状態で枠状部２１ａ内に配置されて表示パネル２０ａの表示面（図４（ｂ）では下面）の縁部が押え金具２１ｃによって押えられることにより、回路基板２０ｃが押え片２１ｂに押し付けられて、表示パネル２０ａの表示面側が図４および図１４において下側に露呈した状態で、組み込まれるように構成されている。
【００３９】
この場合、表示フレーム２１の横方向（図６では左右方向）における両側の各側辺部のうち、一方（図６では右側）の側辺部における中間部には、図６に示すように、第１保持取付片２６が設けられている。この第１保持取付片２６には、図４および図６に示すように、ビス２８が挿入するビス挿入孔２６ａが上下に貫通して設けられている。また、この表示フレーム２１の他方（図６では左側）の側辺部における中間部には、第２保持取付片２７が設けられている。この第２保持取付片２７にも、ビス２８が挿入するビス挿入孔２７ａが上下に貫通して設けられている。
【００４０】
保持フレーム２２は、ステンレスなどの金属からなり、図３および図４に示すように、表示フレーム２１の外周を囲うほぼ枠状に形成され、合成樹脂製の取付枠２９を介してケース本体１０内に組み込まれるように構成されている。すなわち、この保持フレーム２２は、図７および図８に示すように、横方向（図８では左右方向）に長いほぼ長方形の枠状に形成されている。これにより、この保持フレーム２２は、図４および図１４に示すように、その内部に表示フレーム２１が片側（図４（ａ）および図４（ｂ）では左側）に片寄った状態で配置されるように構成されている。
【００４１】
この場合、保持フレーム２２の上辺部には、図７および図８に示すように、その左右方向に沿って複数の位置決め孔３０が設けられている。また、表示フレーム２１の上辺部には、図５および図６に示すように、保持フレーム２２の複数の位置決め孔３０のいずれかに挿入する複数の位置決め突起３１が左右方向に沿って所定間隔で設けられている。これにより、表示フレーム２１は、その位置決め突起３１が保持フレーム２２の位置決め孔３０に挿入すると、保持フレーム２２に対する上下辺方向および左右辺方向の位置が規制されるように構成されている。
【００４２】
また、この保持フレーム２２の横方向における両側の各側辺部のうち、一方（図８では右側）の側辺部における中間部には、図８に示すように、第１表示取付片３２が設けられている。この第１表示取付片３２には、図４（ａ）および図８に示すように、ビス２８が螺着するねじ孔３２ａが設けられている。また、この保持フレームの他方（図８では左側）の側辺部における中間部には、第２表示取付片３３が設けられている。この第２表示取付片３３にも、ビス２８が螺着するねじ孔３３ａが設けられている。
【００４３】
また、取付変更部材２３は、保持フレーム２２に対する表示フレーム２１の取付位置を変更するためのものであり、図３および図４に示すように、透明なタッチパネル２４を有する第１の表示ユニット４が組み込まれる場合には、表示フレーム２１の右側に位置する側辺部と保持フレーム２２の右側に位置する側辺部とに跨って取り付けられ、また透明なタッチパネル２４を有しない第２の表示ユニット５が組み込まれる場合には、図１３および図１４に示すように、表示フレーム２１の左側に位置する側辺部と保持フレーム２２の左側に位置する側辺部とに跨って取り付けられるように構成されている。
【００４４】
すなわち、この取付変更部材２３は、図９〜図１１に示すように、金属からなるほぼ平板状に形成されている。この場合、取付変更部材２３は、その中間部に段差部２３ａが形成されていることにより、図３および図４に示すように、一側部（図４（ａ）では右側部）の第１固定部３４が保持フレーム２２の第１表示取付片３２の下面に配置されるように一段低く形成されている。
【００４５】
また、この取付変更部材２３は、図３および図４に示すように、その他側部（図３では左側部）の第２固定部３５が表示フレーム２１の第１保持取付片２６の上面に配置されるように一段高く形成されている。さらに、この取付変更部材２３における第１固定部３４の端部（図３では右端部）には、フック部２３ｂが設けられている。
【００４６】
この場合、取付変更部材２３の一段低く形成された第１固定部３４には、図３、図９〜図１１に示すように、ビス２８が挿入するビス挿入孔３４ａが上下に貫通して設けられている。また、この取付変更部材２３の一段高く形成された第２固定部３５には、ビス２８が螺着するねじ孔３５ａが設けられている。
【００４７】
これにより、この取付変更部材２３は、図４（ａ）および図４（ｂ）に示すように、その一段低く形成された第１固定部３４が保持フレーム２２の第１表示取付片３２の下面に配置されて、フック部２３ｂが保持フレーム２２の外端部に係止されると、一段高く形成された第２固定部３５が表示フレーム２１の第１保持取付片２６の上面に配置されるように構成されている。
【００４８】
このため、この取付変更部材２３は、図４（ａ）および図４（ｂ）に示すように、第１固定部３４のビス挿入孔３４ａが第１表示取付片３２のねじ孔３２ａに対応し、この状態でビス２８によって第１固定部３４が保持フレーム２２の第１表示取付片３２に取り付けられるように構成されている。
【００４９】
また、この取付変更部材２３は、第２固定部３５のねじ孔３５ａが第１保持取付片２６のビス挿入孔２６ａに対応し、この状態でビス２８によって第２固定部３５が表示フレーム２１の第１保持取付片２６に取り付けられるように構成されている。これにより、表示フレーム２１は、図４（ａ）および図４（ｂ）に示すように、取付変更部材２３によって保持フレーム２２内において片側（図４（ａ）および図４（ｂ）では左側）に片寄って配置された状態で、保持フレーム２２に取り付けられるように構成されている。
【００５０】
このときには、表示フレーム２１は、その左側に位置する第２保持取付片２７が保持フレーム２２の左側に位置する第２表示取付片３３の下側に配置されて、第２保持取付片２７のビス挿入孔２７ａが第２表示取付片３３のねじ孔３３ａに対応し、この状態でビス２８によって第２保持取付片２７が保持フレーム２２の第２表示取付片３３に取り付けられるように構成されている。
【００５１】
また、第１の表示ユニット４の透明なタッチパネル２４は、第１の表示窓枠１２によって表示部２０の表示パネル２０ａに押し付けられた状態で、第１ケース１内に組み込まれるように構成されている。この場合、第１の表示窓枠１２は、図４（ａ）および図４（ｂ）に示すように、その外周に位置する縁部１２ａが第１ケース１における化粧パネル１１の窓枠装着部１７に取り付けられるように構成されている。
【００５２】
これにより、透明なタッチパネル２４は、図４（ａ）および図４（ｂ）に示すように、その外周の縁部が、第１の表示窓枠１２における表示開口部１８の内周に位置する縁部によって、第１ケース１内の表示フレーム２１に押し付けられた状態で、組み込まれるように構成されている。また、この透明なタッチパネル２４は、第１ケース１内の表示フレーム２１に組み込まれた状態で、フレキシブルな配線フィルム３６によって回路基板２０ｃと電気的に接続されている。
【００５３】
この場合、透明なタッチパネル２４は、図３および図４に示すように、そのタッチ領域が表示部２０の表示パネル２０ａにおける表示領域よりも大きく形成されている。すなわち、このタッチパネル２４は、図３および図４に示すように、その外形の大きさが表示部２０を収納する表示フレーム２１の外形よりも大きく形成され、且つ保持フレーム２２の内形とほぼ同じ大きさか、それよりも少し小さく形成されている。
【００５４】
これにより、透明なタッチパネル２４は、図３および図４に示すように、タッチ入力機能部としてのアイコン部３７が表示部２０の表示パネル２０ａの右側に位置する箇所に対応して設けられた構成になっている。すなわち、この透明なタッチパネル２４のアイコン部３７は、表示パネル２０ａから取付変更部材２３が設けられた表示フレーム２１の右側に位置する箇所に対応して設けられている。
【００５５】
このアイコン部３７は、図３および図４に示すように、タッチパネル２４の裏面（図４（ａ）では上面）に、複数のアイコン表示３７ａが施されたシートが貼り付けられ、このシートに表示された複数のアイコン表示３７ａに対する箇所の表面（図４（ａ）では下面）をタッチ操作することにより、アイコン表示３７ａに応じた機能が実行されるように構成されている。
【００５６】
また、この透明なタッチパネル２４は、図２および図３に示すように、その外周縁部が第１ケース１の下面、つまり第１の表示窓枠１２における表示開口部１８の内周に位置する縁部によって押え付けられていることにより、タッチパネル２４のタッチ入力領域（アイコン部３７を含む）が第１の表示窓枠１２の表示開口部１８に対応して外部に露呈し、この状態で第１の表示窓枠１２の表示開口部１８を通してタッチ操作が行えるように構成されている。
【００５７】
一方、第２の表示ユニット５は、図１２〜図１４に示すように、第１の表示ユニット４における透明なタッチパネル２４を除いて、第１の表示ユニット４とほぼ同じ構成であり、これに伴って保持フレーム２２に対する表示フレーム２１の取付位置が第１の表示ユニット４と異なるように構成されている。
【００５８】
すなわち、この第２の表示ユニット５は、図１３および図１４に示すように、表示フレーム２１が保持フレーム２２内において、第１の表示ユニット４の場合と反対方向における片側（図１４（ａ）および図１４（ｂ）では右側）に片寄った状態で配置されるように構成されている。
【００５９】
このため、取付変更部材２３は、図１４（ａ）に示すように、その一段低く形成された第１固定部３４が保持フレーム２２の左側に位置する第２表示取付片３３の下面に配置されて、フック部２３ｂが保持フレーム２２の左側に位置する外端部に係止され、一段高く形成された第２固定部３５が表示フレーム２１の左側に位置する第２保持取付片２７の上面に配置されるように構成されている。
【００６０】
このときにも、取付変更部材２３は、図１４（ａ）に示すように、第１固定部３４のビス挿入孔３４ａが第２表示取付片３３のねじ孔３３ａに対応し、この状態でビス２８によって第１固定部３４が保持フレーム２２の第２表示取付片３３に取り付けられているように構成されている。
【００６１】
また、この取付変更部材２３は、図１４（ａ）に示すように、第２固定部３５のねじ孔３５ａが第２保持取付片２７のビス挿入孔２７ａに対応し、この状態でビス２８によって第２固定部３５が表示フレーム２１の第２保持取付片２７に取り付けられているように構成されている。これにより、表示フレーム２１は、図１３および図１４（ａ）に示すように、取付変更部材２３によって保持フレーム２２内において片側（図１３では右側）に片寄って配置された状態で、保持フレーム２２に取り付けられている。
【００６２】
このときには、表示フレーム２１は、図１４（ｂ）に示すように、その右側に位置する第１保持取付片２６が保持フレーム２２の右側に位置する第１表示取付片３２の下側に配置されて、第１保持取付片２６のビス挿入孔２６ａが第１表示取付片３２のねじ孔３２ａに対応し、この状態でビス２８によって第１保持取付片２６が保持フレーム２２の第１表示取付片３２に取り付けられるように構成されている。
【００６３】
この場合、表示フレーム２１は、第２の表示窓枠１３の外周に位置する縁部１３ａが化粧パネル１１の窓枠装着部１７に取り付けられて、第２の表示窓部１３における表示開口部１９の内周に位置する縁部が、表示部２０の表示パネル２０ａにおける表示面の外周の縁部を押え付けることにより、第１ケース１内に組み込まれるように構成されている。
【００６４】
これにより、第２の表示ユニット５における表示部２０の表示パネル２０ａは、図１２および図１３に示すように、第１ケース１の下面、つまり第２の表示窓枠１３の中央部分に対応して配置された状態で、その表示領域が第２の表示窓枠１３の表示開口部１９に対応して外部に露呈し、この状態で表示パネル２０ａに表示された情報が第２の表示窓枠１３の表示開口部１９を通して外部から見えるように構成されている。
【００６５】
なお、保持フレーム２２の横方向（図４では左右方向）の外側部には、図３および図１３に示すように、ヒンジ機構部９の第１ヒンジアーム４０がそれぞれ取り付けられている。この場合、ヒンジ機構部９は、第１ヒンジアーム４０が取り付けられる第１ヒンジ軸４１と、第２ケース２内に設けられた第２ヒンジアーム４２が取り付けられる第２ヒンジ軸４３と、この第１、第２の各ヒンジ軸４１、４３間に配置されてその両者に負荷を付与するばね部材４４とを備えている。
【００６６】
これにより、ヒンジ機構部９は、図１、図３および図１３に示すように、第１ヒンジ軸４１と第２ヒンジ軸４３とが、第１、第２の各ヒンジカバー部３ａ、３ｂで覆われた状態で、回転可能に連結され、この第１、第２の各ヒンジ軸４１、４３を中心に、第１、第２の各ケース１、２が回転して開閉するように構成されている。
【００６７】
次に、このような電子辞書の第１ケース１に第１、第２の各表示ユニット４、５のいずれかを組み込む場合について説明する。
まず、第１ケース１に第１の表示ユニット４を組み込む場合について説明する。このときには、図４（ａ）および図４（ｂ）に示すように、表示部２０を表示フレーム２１に組み付ける。
【００６８】
すなわち、表示フレーム２１内に、回路基板２０ｃ、バックライトパネル２０ｂ、および表示パネル２０ａをその順で下側から組み込んで重ね合わせる。このときには、表示パネル２０ａを配線フィルム２５によって回路基板２０ｃと電気的に接続する。この状態で、表示パネル２０ａの表示面（図４（ａ）および図４（ｂ）では下面）の縁部を押え金具２１ｃで押え付けて、回路基板２０ｃを押え片２１ｂに押し付ける。これにより、表示フレーム２１内に表示部２０が組み付けられる。
【００６９】
そして、この表示フレーム２１を保持フレーム２２内における左側に片寄らせて配置し、この状態で表示フレーム２１の位置決め突起３１を保持フレーム２２に設けられた複数の位置決め孔３０のいずれかに挿入して、表示フレーム２１を保持フレーム２２に対して位置規制する。この後、図３および図４に示すように、表示フレーム２１の右側に位置する側部と保持フレーム２２の右側に位置する側部とを取付変更部材２３によって取り付ける。
【００７０】
このときには、図４（ａ）に示すように、取付変更部材２３の一段低い第１固定部３４を保持フレーム２２の第１表示取付片３２の下面に配置して、フック部２３ｂを保持フレーム２２の右側に位置する外端部に係止させ、取付変更部材２３の一段高い第２固定部３５を表示フレーム２１の第１保持取付片２６の上面に配置する。
【００７１】
この状態で、図４（ａ）に示すように、取付変更部材２３の第１固定部３４のビス挿入孔３４ａを第１表示取付片３２のねじ孔３２ａに対応させて、ビス２８によって第１固定部３４を保持フレーム２２の第１表示取付片３２に取り付ける。また、第２固定部３５のねじ孔３５ａを第１保持取付片２６のビス挿入孔２６ａに対応させて、ビス２８によって第２固定部３５を表示フレーム２１の第１保持取付片２６に取り付ける。これにより、表示フレーム２１の右側に位置する側部と保持フレーム２２の右側に位置する側部とが取付変更部材２３によって取り付けられる。
【００７２】
このときには、図４（ｂ）に示すように、表示フレーム２１の左側に位置する第２保持取付片２７が、保持フレーム２２の左側に位置する第２表示取付片３３の下側に配置されて、第２保持取付片２７のビス挿入孔２７ａが第２表示取付片３３のねじ孔３３ａに対応する。この状態で、ビス２８によって第２保持取付片２７を保持フレーム２２の第２表示取付片３３に取り付ける。
【００７３】
これにより、表示フレーム２１は、図３および図４に示すように、取付変更部材２３によって保持フレーム２２内における片側（図４（ａ）および図４（ｂ）では左側）に片寄って配置される。これに伴って、表示部２０が表示フレーム２１と共に保持フレーム２２の左側に片寄った状態で配置される。この状態で、図３および図４に示すように、透明なタッチパネル２４を表示フレーム２１の表面（図４（ｂ）では下面）に配置して、フレキシブルな配線フィルム３６によって表示部２０の回路基板２０ｃと電気的に接続する。
【００７４】
このときには、図２〜図４に示すように、表示フレーム２１に組み込まれた表示部２０の表示パネル２０ａの表示面を透明なタッチパネル２４で覆うと共に、この透明なタッチパネル２４のアイコン部３７を、取付変更部材２３が設けられた表示フレーム２１の右側部と保持フレーム２２の右側との間に対応させた状態で、図４（ａ）に示すように、表示フレーム２１の下面に配置する。
【００７５】
この後、透明なタッチパネル２４および表示部２０を搭載した表示フレーム２１を保持フレーム２２と共に第１ケース１内に組み込む。このときには、４（ａ）および図４（ｂ）に示すように、保持フレーム２２を第１ケース１のケース本体１０内に取付枠２９を介して組み付ける。この状態で、化粧パネル１１の窓枠装着部１７に第１の表示窓枠１２の外周に位置する縁部１２ａを取り付け、この化粧パネル１１のケース装着部１６にケース本体１０の外周に位置する側縁部１０ａを取り付ける。
【００７６】
これにより、透明なタッチパネル２４が第１の表示窓枠１２によって表示フレーム２１に押し付けられて取り付けられる。すなわち、第１の表示窓枠１２における表示開口部１８の内周に位置する縁部が、透明なタッチパネル２４の外周に位置する縁部を、表示フレーム２１に押し付けることにより、透明なタッチパネル２４が表示部２０と共に第１ケース１内に組み込まれる。
【００７７】
このときには、透明タッチパネル２４のアイコン部３７を含むタッチ領域が第１の表示窓枠１２の表示開口部１８に対応して外部に露呈し、この表示開口部１８を通して第１ケース１の外部からタッチ操作ができる。また、このときには、透明なタッチパネル２４が第１の表示窓枠１２の表示開口部１８に対応することにより、図２に示すように、第１の表示窓枠１２の中央部分、つまり第１ケースの表面（図４（ａ）では下面）における中央部分に対応して配置される。
【００７８】
次に、第１ケース１に第２の表示ユニット５を組み込む場合について説明する。
この場合には、図１４（ａ）および図１４（ｂ）に示すように、まず、表示部２０を表示フレーム２１に第１の表示ユニット４と同様に組み付ける。そして、この表示部２０が組み付けられた表示フレーム２１を保持ケース２１内に組み付ける。このときには、第１の表示ユニット４の場合と反対方向、つまり図１３および図１４（ａ）に示すように、表示フレーム２１を保持フレーム２２内における右側に片寄らせて配置する。
【００７９】
この状態で、図１３に示すように、表示フレーム２１の左側に位置する側部と保持フレーム２２の左側に位置する側部とを、取付変更部材２３によって取り付ける。このときには、図１４（ａ）に示すように、取付変更部材２３の一段低い第１固定部３４を保持フレーム２２の第２表示取付片３３の下面に配置して、フック部２３ｂを保持フレーム２２の左側に位置する外端部に係止させ、取付変更部材２３の一段高い第２固定部３５を表示フレーム２１の第２保持取付片２７の上面に配置する。
【００８０】
この状態で、図１４（ａ）に示すように、取付変更部材２３の第１固定部３４のビス挿入孔３４ａを第２表示取付片３３のねじ孔３３ａに対応させて、ビス２８によって第１固定部３４を保持フレーム２２の第２表示取付片３３に取り付ける。また、第２固定部３５のねじ孔３５ａを第２保持取付片２７のビス挿入孔２７ａに対応させて、ビス２８によって第２固定部３５を表示フレーム２１の第２保持取付片２７に取り付ける。これにより、表示フレーム２１の左側に位置する側部と保持フレーム２２の左側に位置する側部とが取付変更部材２３によって取り付けられる。
【００８１】
このときには、図１４（ｂ）に示すように、表示フレーム２１の右側に位置する第１保持取付片２６が、保持フレーム２２の右側に位置する第１表示取付片３２の下側に配置されて、第２保持取付片２５のビス挿入孔２６ａが第１表示取付片３２のねじ孔３２ａに対応する。この状態で、ビス２８によって第１保持取付片２６を保持フレーム２２の第１表示取付片３２に取り付ける。
【００８２】
これにより、表示フレーム２１は、図１３および図１４に示すように、取付変更部材２３によって保持フレーム２２内における片側（図１３では右側）に片寄って配置される。これに伴って、表示部２０が表示フレーム２１と共に保持フレーム２２の右側に片寄った状態で配置される。この後、表示部２０を搭載した表示フレーム２１を保持フレーム２２と共に第１ケース１内に取付枠２９を介して組み込む。
【００８３】
このときには、図１４（ａ）および図１４（ｂ）に示すように、保持フレーム２２を第１ケース１のケース本体１０内に組み付ける。この状態で、化粧パネル１１の窓枠装着部１７に第２の表示窓枠１３の外周に位置する縁部１３ａを取り付け、この化粧パネル１１のケース装着部１６にケース本体１０の外周に位置する側縁部１０ａを取り付ける。
【００８４】
これにより、表示部２０の表示パネル２０ａの外周部が第２の表示窓枠１３によって表示フレーム２１内に押し付けられて取り付けられる。すなわち、第２の表示窓枠１３における表示開口部１９の内周に位置する縁部が、表示パネル２０ａの外周に位置する縁部を表示フレーム２１に押し付けることにより、図１４（ａ）および図１４（ｂ）に示すように、表示部２０が第１ケース１内に組み込まれる。
【００８５】
このときには、表示パネル２０ａの表示領域が第２の表示窓枠１３の表示開口部１９に対応して外部に露呈し、この表示開口部１９を通して第１ケース１の外部から表示パネル２０ａに表示された情報が見える。また、このときには、表示パネル２０ａが第２の表示窓枠１３の表示開口部１９に対応することにより、図１２に示すように、第２の表示窓枠１３の中央部分、つまり第１ケースの表面（図１４（ａ）および図１４（ｂ）では下面）における中央部分に対応して配置される。
【００８６】
このように、この電子辞書の第１ケース１に組み込まれる表示装置によれば、機能が異なる第１、第２の各表示ユニット４、５のいずれか一方を搭載する表示フレーム２１と、この表示フレーム２１の外周に位置して表示フレーム２１が取り付けられるほぼ枠状の保持フレーム２２と、この保持フレーム２２に対する表示フレーム２１の取付位置を第１、第２の各表示ユニット４、５のそれぞれに応じて変更可能に取り付ける取付変更部材２３とを備えているので、第１、第２の表示ユニット４、５ごとに取付位置が異なっていても、取付変更部材２３によって変更すべき部品を最小限に抑えて、ほぼ全ての機器部品の共通化を図ることができる。
【００８７】
すなわち、この電子辞書の表示装置では、第１の表示ユニット４を表示フレーム２１に取り付ける場合と、第２の表示ユニット５を表示フレーム２１に取り付ける場合とで、保持フレーム２２に対する表示フレーム２１の取付位置を、取付変更部材２３によって変更することができる。このため、異なる機能に応じて第１、第２の表示ユニット４、５の取付位置が異なっていても、表示フレーム２１、保持フレーム２２、および取付変更部材２３によって、第１ケース１内に組み込まれる表示装置の基本的な構成をプラットホーム化することができ、これにより変更すべき部品を第１、第２の表示窓枠１２、１３のみの最小限に抑えて、ほぼ全ての機器部品の共通化を図ることができる。
【００８８】
この場合、取付変更部材２３は、表示フレーム２１の一側部（例えば右側部）とこれに対応する保持フレーム２２の一側部（例えば右側部）との間、または表示フレーム２１の一側部に対し反対側に位置する他側部（例えば左側部）とこれに対応する保持フレーム２２の他側部（例えば左側部）との間におけるその両者間のいずれかに取り付けられることにより、保持フレーム２２に対する表示フレーム２１の取付位置を第１、第２の各表示ユニット４、５のそれぞれに応じて変更する構成であることにより、取付変更部材２３によって保持フレーム２２に対する表示フレーム２１の取付位置を簡単に且つ容易に変更することができる。
【００８９】
すなわち、第１の表示ユニット４は、表示フレーム２１に組み込まれて情報を表示する表示部２０と、この表示部２０の表示面側を覆って配置され、且つ表示部２０の表示面よりも大きく形成された透明なタッチパネル２４とを備えた構成であり、第２の表示ユニット５は、透明なタッチパネル２４を除いて、第１の表示ユニット４とほぼ同じ構成であることにより、第１、第２の各表示ユニット４、５の機能が異なり、これに伴って第１、第２の各表示ユニット４、５の取付位置が異なっていても、取付変更部材２３によって保持フレーム２２に対する表示フレーム２１の取付位置を容易に変更することができる。
【００９０】
このため、第１、第２の各表示ユニット４、５の機能ごとに取付位置が異なっていても、その生産途中で取付位置を簡単に変更することができるので、生産性が良いばかりか、取付変更部材２３によって、第１の表示ユニット４のタッチパネル２４を第１ケース１の表面における中央部分に配置することができると共に、第２の表示ユニット５の表示部２０を第１ケース１の表面における中央部分に配置することができる。これにより、第１の表示ユニット４のタッチパネル２４と第２の表示ユニット５における表示部２０の表示パネル２０ａとが第１ケース１に対して片寄ることがないので、外観的にもデザイン的にも好ましいものを得ることができる。
【００９１】
この場合、透明なタッチパネル２４は、表示部２０の表示領域に対応するタッチ入力表示部と、表示部２０の表示領域外に位置するタッチ入力機能部であるアイコン部３７とを備えていることにより、タッチパネル２４のタッチ領域を大きく形成することができると共に、タッチ入力機能を増設することができ、これによりタッチ入力操作性を向上させることができ、使い勝手の良いものを提供することができる。
【００９２】
また、第１、第２の各表示窓枠１２、１３は、第１、第２の各表示ユニット４、５のそれぞれに応じて保持フレーム２２に対する表示フレーム２１の取付位置が変更するのに伴って、表示開口部１８、１９がそれぞれ異なる構成であることにより、第１、第２の各表示ユニット４、５の取付位置が異なっていても、取付変更部材２３によって保持フレーム２２に対する表示フレーム２１の取付位置を変更して、第１の表示ユニット４のタッチパネル２４と第２の表示ユニット５の表示パネル２０ａとを第１、第２の各表示窓枠１２、１３における各表示開口部１８、１９に対応させることができる。
【００９３】
すなわち、第１の表示ユニット４のタッチパネル２４を第１の表示窓枠１２の表示開口部１８に対応させて配置することができると共に、第２の表示ユニット５の表示部２０を第２の表示窓枠１３の表示開口部１９に対応させて配置することができる。このため、第１の表示ユニット４のタッチパネル２４と第２の表示ユニット５の表示パネル２０ａとが、第１ケース１の中央部分に位置して片寄ることがないので、機器全体の外観を損なうことがなく、より一層、外観的にもデザイン的にも好ましいものを得ることができる。
【００９４】
なお、上述した実施形態においては、表示フレーム２１における第１保持取付片２６のビス挿入孔２６ａ、第２保持取付片２７のビス挿入孔２７ａ、および取付変更部材２３における第１固定部３４のビス挿入孔３４ａをビス２８が単に挿入する程度の大きさで形成したが、これに限らず、各ビス挿入孔２６ａ、２７ａ、３４ａをビス２８の外形よりも大きいバカ孔、もしくはビス２８がスライドする長孔などで形成しても良い。
【００９５】
このように構成すれば、機能が異なる第１、第２の各表示ユニット４、５の取付位置が異なっても微妙に取付位置を変更することができるほか、第１、第２の各表示ユニット４、５を備えているものに限らず、機能が異なる３つ以上の表示ユニットを備えているものにも適用することができる。
【００９６】
また、上述した実施形態では、保持フレーム２２に対する表示フレーム２１の取付位置を左右方向にずらして変更する場合について述べたが、必ずしも左右方向に変更する構成である必要はなく、第１、第２の各表示ユニットの構造に応じて、取付位置を上下辺方向に変更する構成であっても良い。
【００９７】
また、上述した実施形態では、透明なタッチパネル２４に、タッチ入力機能部として、アイコン部３７を設けた場合について述べたが、必ずしもアイコン部３７である必要はなく、例えば、ページ捲り部などのタッチ入力機能部を設けても良く、またこれに限らず、単にタッチ操作によって情報を入力するタッチ操作入力部を設けた構成であっても良い。
【００９８】
さらに、上述した実施形態では、電子辞書に適用した場合について述べたが、必ずしも電子辞書である必要はなく、例えば小型電子式計算機、携帯電話機、情報処理端末機などの各種の電子機器に広く適用することができる。
【符号の説明】
【００９９】
１  第１ケース
２  第２ケース
３  ヒンジ部
４  第１の表示ユニット
５  第２の表示ユニット
１０  ケース本体
１１  化粧パネル
１２  第１の表示窓枠
１３  第２の表示窓枠
１８、１９  表示開口部
２０  表示部
２０ａ  表示パネル
２１  表示フレーム
２２  保持フレーム
２３  取付変更部材
２４  透明なタッチパネル
２６、２７  第１、第２の保持取付片
２８  ビス
３２、３３  第１、第２の表示取付片
３４、３５  第１、第２の固定部
３７  アイコン部
【図１】
0005605558.tif 000002
【図２】
0005605558.tif 000003
【図３】
0005605558.tif 000004
【図４】
0005605558.tif 000005
【図５】
0005605558.tif 000006
【図６】
0005605558.tif 000007
【図７】
0005605558.tif 000008
【図８】
0005605558.tif 000009
【図９】
0005605558.tif 000010
【図１０】
0005605558.tif 000011
【図１１】
0005605558.tif 000012
【図１２】
0005605558.tif 000013
【図１３】
0005605558.tif 000014
【図１４】
0005605558.tif 000015